(57)【要約】【課題】ネットワークに接続されていない印刷装置側の印刷データの印刷完了をネットワーク上のプリントサーバに通知することが可能な印刷システムを提供する。【解決手段】プリンタサーバ１からネットワーク３を介して携帯端末装置２のメモリカードへと印刷管理データをダウンロードし、このメモリカードを携帯端末装置２から外して印刷装置４に接続し、印刷装置４でメモリカード内の印刷管理データを読み出して、印刷管理データに含まれる印刷ジョブの印刷データを印刷し、印刷完了情報をメモリカードに書き込み、メモリカードを携帯端末装置２に再接続して、携帯端末装置２でメモリカード内の印刷完了情報を読み出してプリントサーバ１に送信するようにしている。これにより、ネットワーク３に接続されていない印刷装置４による印刷データの印刷が可能になり、また印刷完了情報をプリントサーバ１に返すことが可能になる。【選択図】図１
2010055492.tif 000002
【特許請求の範囲】
【請求項１】
印刷データを格納したプリントサーバと、着脱可能なメモリカードを有する携帯端末と、印刷データを印刷する印刷装置とを備え、プリントサーバから携帯端末のメモリカードへと印刷データをダウンロードし、メモリカードを携帯端末から外して印刷装置に接続し、このメモリカード内の印刷データを印刷装置で印刷する印刷システムにおいて、
前記印刷装置は、前記メモリカード内の印刷データを印刷すると、印刷完了情報をメモリカードに書き込み、
前記携帯端末は、メモリカードを再接続されると、メモリカード内の印刷完了情報を読み出して前記プリントサーバに送信することを特徴とする印刷システム。
【請求項２】
前記プリントサーバは、前記印刷完了情報によって印刷の成功が示されていると、前記携帯端末のメモリカードにダウンロードした印刷データを該プリントサーバから削除することを特徴とする請求項１に記載の印刷システム。
【請求項３】
前記プリントサーバは、前記印刷完了情報によって印刷の失敗が示されていると、前記携帯端末のメモリカードにダウンロードした印刷データを該プリントサーバから削除せずに保存し続けることを特徴とする請求項１に記載の印刷システム。
【請求項４】
前記プリントサーバは、前記携帯端末のメモリカードにダウンロードした印刷データを該プリントサーバから削除せずに保存し続ける旨を携帯端末に送信することを特徴とする請求項３に記載の印刷システム。
【請求項５】
前記携帯端末は、前記印刷完了情報によって印刷の失敗が示されていると、前記プリントサーバから該携帯端末のメモリカードへの印刷データの再ダウンロードをプリントサーバに要求することを特徴とする請求項４に記載の印刷システム。
【発明の詳細な説明】
【技術分野】
【０００１】
本発明は、プリントサーバから携帯端末のメモリカードへと印刷データをダウンロードし、メモリカードを携帯端末から外して印刷装置に接続し、このメモリカード内の印刷データを印刷装置で印刷する印刷システムに関する。
【背景技術】
【０００２】
周知のようにネットワークシステムには、プリントサーバ及び印刷装置を設けたものがある。このシステムおいては、プリントサーバから印刷装置へと印刷データを送受して、印刷装置側で印刷データを印刷し、この印刷を完了すると、この旨を印刷装置からプリントサーバへと通知する。プリントサーバは、印刷データの印刷完了の旨を受信すると、この印刷データを該プリントサーバから削除して、プリントサーバの記憶容量を節減する。
【０００３】
ところが、ネットワークに接続されていない印刷装置がある場合は、プリントサーバからその印刷装置へと印刷データを直接転送することができないことから、例えば携帯端末をプリントサーバに接続して、プリントサーバから携帯端末のメモリカードに印刷データをダウンロードし、このメモリカードを携帯端末から外して印刷装置に接続し、印刷装置側でメモリカード内の印刷データを読み出して印刷することになる。
【０００４】
例えば、特許文献１には、メモリカードを印刷装置に装着し、そのメモリカード内の印刷データを印刷装置で印刷するというフォトダイレクトプリンタに関する記述がある。
【特許文献１】特開２００６−１５０９１１号公報
【発明の開示】
【発明が解決しようとする課題】
【０００５】
しかしながら、上記のようにプリントサーバから携帯端末のメモリカードに印刷データをダウンロードし、このメモリカードを印刷装置に接続して、印刷装置側でメモリカード内の印刷データを読み出して印刷する場合は、印刷装置側で印刷データの印刷が完了しても、この印刷完了がプリントサーバに通知されないことから、印刷データがプリントサーバから削除されずに何時までも残って、プリントサーバの記憶容量に無駄が生じることがあった。このため、例えばプリントサーバから携帯端末のメモリカードに印刷データをダウンロードした時点で、あるいはダウンロードしてから一定時間経過後に、プリントサーバから印刷データを削除することが考えられるが、この場合は、印刷装置による印刷データの印刷完了を確認せずに、印刷データを削除することになるので、印刷データの印刷を失敗したときには、印刷データの印刷が不可能になった。
【０００６】
そこで、本発明は、上記従来の問題点に鑑みなされたものであり、ネットワークに接続されていない印刷装置側の印刷データの印刷完了をネットワーク上のプリントサーバに通知することが可能な印刷システムを提供することを目的とする。
【課題を解決するための手段】
【０００７】
上記課題を解決するために、本発明は、印刷データを格納したプリントサーバと、着脱可能なメモリカードを有する携帯端末と、印刷データを印刷する印刷装置とを備え、プリントサーバから携帯端末のメモリカードへと印刷データをダウンロードし、メモリカードを携帯端末から外して印刷装置に接続し、このメモリカード内の印刷データを印刷装置で印刷する印刷システムにおいて、前記印刷装置は、前記メモリカード内の印刷データを印刷すると、印刷完了情報をメモリカードに書き込み、前記携帯端末は、メモリカードを再接続されると、メモリカード内の印刷完了情報を読み出して前記プリントサーバに送信している。
【０００８】
例えば、前記プリントサーバは、前記印刷完了情報によって印刷の成功が示されていると、前記携帯端末のメモリカードにダウンロードした印刷データを該プリントサーバから削除する。
【０００９】
また、前記プリントサーバは、前記印刷完了情報によって印刷の失敗が示されていると、前記携帯端末のメモリカードにダウンロードした印刷データを該プリントサーバから削除せずに保存し続ける。
【００１０】
更に、前記プリントサーバは、前記携帯端末のメモリカードにダウンロードした印刷データを該プリントサーバから削除せずに保存し続ける旨を該携帯端末に送信する。
【００１１】
また、前記携帯端末は、前記印刷完了情報によって印刷の失敗が示されていると、前記プリントサーバから該携帯端末のメモリカードへの印刷データの再ダウンロードをプリントサーバに要求する。
【発明の効果】
【００１２】
本発明では、プリントサーバから携帯端末のメモリカードへと印刷データがダウンロードされる。印刷装置は、携帯端末のメモリカードを接続され、このメモリカード内の印刷データを印刷すると、印刷完了情報をメモリカードに書き込む。携帯端末は、メモリカードを再接続されると、メモリカード内の印刷完了情報を読み出してプリントサーバに送信する。これにより、プリントサーバから携帯端末のメモリカードへとダウンロードされた印刷データの印刷完了情報がプリントサーバに通知される。プリントサーバは、この印刷完了情報に基づいて印刷データの印刷状況等を判定することが可能となる。
【００１３】
例えば、プリントサーバは、印刷完了情報によって印刷の成功が示されているときに、携帯端末のメモリカードにダウンロードした印刷データを削除する。これにより、プリントサーバの記憶容量を節減することができる。
【００１４】
また、プリントサーバは、印刷完了情報によって印刷の失敗が示されているときに、印刷データを削除せずに保存し続ける。更に、プリントサーバは、印刷データを保存し続ける旨を該携帯端末に通知してもよい。これにより、失敗した印刷データをプリントサーバから携帯端末のメモリカードへと再度ダウンロードし、このメモリカードを印刷装置に接続して、印刷装置側でメモリカード内の印刷データを再度印刷することができる。
【００１５】
更に、携帯端末は、印刷完了情報によって印刷の失敗が示されているときに、プリントサーバから該携帯端末のメモリカードへの印刷データの再ダウンロードを該プリントサーバに要求する。これにより、印刷データの再ダウンロードの手続が簡単化される。
【発明を実施するための最良の形態】
【００１６】
以下、本発明の実施形態を添付図面を参照して詳細に説明する。
【００１７】
図１は、本発明の印刷システムの一実施形態を示すブロック図である。本実施形態の印刷システムでは、プリントサーバ１、携帯端末装置２、パーソナルコンピュータ５、種々の装置間を相互に接続するネットワーク３、及びネットワーク３とは未接続の印刷装置４等を備えている。
【００１８】
ネットワーク３は、有線ＬＡＮ、無線ＬＡＮ等であり、プリントサーバ１、携帯端末装置２、パーソナルコンピュータ５の他に、プリンタ等の端末装置を接続することができる。
【００１９】
プリントサーバ１は、ＣＰＵ等の制御部１１、ハードディスクドライブ（ＨＤＤ）や読み書き可能メモリ（ＲＡＭ）等の記憶部１２、及びＬＡＮカード等の通信部１３などを備えている。制御部１１は、ＨＤＤからプログラムをＲＡＭ上に読み出し実行して、記憶部１２や通信部１３を制御し、種々の処理を行う。例えば、ネットワーク３上のパーソナルコンピュータ５からの印刷ジョブを通信部１３で受信して、この印刷ジョブを含む印刷管理データを作成し、この印刷管理データを記憶部１２に記憶したり、印刷管理データを記憶部１２から読み出して、この印刷管理データを通信部１３からネットワーク３上の携帯端末装置２や他の端末装置へと送信する。
【００２０】
携帯端末装置２は、ＣＰＵ等の制御部２１、ＨＤＤやＲＡＭ等の記憶部２２、ＬＡＮカード等の通信部２３、テンキー、方向キー、決定キー等からなる入力部２４、小型液晶ディスプレイ等からなる出力部２５、メモリカード入出力部２６などを備えている。メモリカード入出力部２６は、メモリカード（図示せず）が挿抜自在に挿入されるスロットを備え、スロットに挿入接続されたメモリカードに対して種々のデータを読み書きすることができる。制御部２１は、ユーザによる入力部２４の操作入力に応答してＨＤＤからプログラムをＲＡＭ上に読み出し実行して、通信部２３やメモリカード入出力部２６を制御し、種々の処理を行う。例えば、ネットワーク３上のプリンタサーバ１からの印刷管理データを通信部２３で受信して、この印刷管理データをメモリカード入出力部２６のスロットに挿入接続されたメモリカードに書き込んだり、メモリカードに書き込まれた印刷完了情報を読み出して、この印刷完了情報を通信部２３からネットワーク３上のプリントサーバ１等へと送信する。
【００２１】
印刷装置４は、ＣＰＵ等の制御部４１、ＨＤＤやＲＡＭ等の記憶部４２、記録用紙の印刷処理を行う印刷部４３、テンキー、方向キー、決定キー等からなる入力部４４、メモリカードが挿抜自在に装着されるメモリカード入出力部４５などを備えている。制御部４１は、ユーザによる入力部４４の操作入力に応答してＨＤＤからプログラムをＲＡＭ上に読み出し実行して、印刷部４３やメモリカード入出力部４５を制御し、種々の処理を行う。例えば、メモリカード入出力部４５のスロットに挿入接続されたメモリカードから印刷管理データを読み出して、印刷管理データから印刷データを抽出し、印刷部４３で印刷データを記録用紙に印刷させたり、印刷データの印刷完了情報をメモリカード入出力部４５を介してメモリカードに書き込む。
【００２２】
パーソナルコンピュータ５は、ＣＰＵ、ＨＤＤ、メモリ、表示デバイス、インターフェース、キーボード、ポインティングデバイス等を備えおり、ＨＤＤからメモリへとオペレーティングシステム（ＯＳ）や、このＯＳ上で動作する各種のアプリケーションソフトをロードし、ＣＰＵによりＯＳやアプリケーションソフトを実行して、様々な処理を行う。例えば、印刷ジョブを生成し、この印刷ジョブをネットワーク３を通じてプリントサーバ１に送信する
このような構成の印刷システムにおいては、例えばパーソナルコンピュータ５からネットワーク３を通じてプリントサーバ１へと印刷ジョブが送受される。プリントサーバ１は、印刷ジョブを受信すると、この印刷ジョブを含む印刷管理データを生成し、この印刷管理データを記憶部１２に記憶する。
【００２３】
次に、図２のフローチャートを参照しつつ、パーソナルコンピュータ５からプリントサーバ１への印刷ジョブの転送手順を説明する。
【００２４】
まず、パーソナルコンピュータ５では、ユーザによりアプリケーションの印刷機能に対する入力操作がなされて、該パーソナルコンピュータ５にインストールされているプリンタドライバに印刷指示が出されると、プリンタドライバで印刷ジョブが生成される（Ｓ４０１）。
【００２５】
パーソナルコンピュータ５は、印刷ジョブが生成されると、この印刷ジョブ及びＩＰアドレス（又はＰＣのホスト名）をネットワーク３を通じてプリントサーバ１に送信する（４０２）。
【００２６】
プリントサーバ１では、パーソナルコンピュータ５からの印刷ジョブ及びＩＰアドレスを通信部１３で受信する（Ｓ４０３）。制御部１１は、これらの受信に応答して印刷管理データＩＤ及び印刷失敗フラグを生成し、印刷ジョブ、ＩＰアドレス、印刷管理データＩＤ、及び印刷失敗フラグを含む印刷管理データを記憶部１２に格納し、記憶部１２内の印刷管理データ格納個数Ｎを１つ歩進して更新する（Ｓ４０４）。そして、制御部１１は、印刷管理データの格納が完了した旨を通信部１３からネットワーク３を通じてパーソナルコンピュータ５に送信する（Ｓ４０５）。
【００２７】
パーソナルコンピュータ５は、プリントサーバ１からの印刷管理データの格納完了の旨を受信すると（Ｓ４０６）、この旨を表示デバイスの画面に表示してユーザに報知する（Ｓ４０７）。
【００２８】
このようにパーソナルコンピュータ５からプリントサーバ１へと印刷ジョブが送受され、プリントサーバ１側で印刷ジョブ、ＩＰアドレス、印刷管理データＩＤ、及び印刷失敗フラグを含む印刷管理データが格納される。
【００２９】
図３は、プリントサーバ１側で格納される印刷管理データの構成を示している。図３においては、複数の印刷管理データＤ１、Ｄ２、…が示されており、これらの先頭に印刷管理データの格納個数Ｎが格納され、この格納個数Ｎに引き続いて各印刷管理データが順次格納されている。これらの印刷管理データＤ１、Ｄ２、…のいずれも、印刷管理データを識別するための印刷管理データＩＤ、印刷データの印刷の成功又は失敗を示す印刷失敗フラグＦ、印刷ジョブを作成したパーソナルコンピュータ等のＩＰアドレスを示す印刷ジョブ作成元アドレス、及び印刷ジョブＪからなる。
【００３０】
印刷管理データの格納個数Ｎは、印刷管理データの増減に応じて更新される。印刷失敗フラグＦは、その初期値が印刷の失敗を示す「OFF」であり、後で述べるように印刷ジョブJの印刷が成功したときに「ON」に更新される。印刷ジョブＪは、印刷データ（テキストや画像等）及び印刷様式を含む。
【００３１】
ここで、印刷装置４とは異なるプリンタ（図示せず）がネットワーク３に接続されていたならば、プリントサーバ１からネットワーク３を介して該プリンタへと印刷ジョブを送受して、このプリンタ側で印刷ジョブの印刷データを抽出して印刷し、この印刷を完了すると、この旨を該プリンタからネットワーク３を介してプリントサーバ１へと通知することができる。そして、プリントサーバ１は、印刷完了の旨を受信すると、その印刷ジョブをプリントサーバ１から削除して、プリントサーバ１の記憶容量を節減することができる。
【００３２】
ところが、印刷装置４については、ネットワーク３に接続されていないことから、プリントサーバ１から印刷装置４へと印刷ジョブを直接送受したり、印刷装置４からプリントサーバ１へと印刷完了の旨を直接送受することができない。
【００３３】
そこで、本実施形態の印刷システムでは、プリンタサーバ１からネットワーク３を介して携帯端末装置２のメモリカードへと印刷管理データをダウンロードし、このメモリカードを携帯端末装置２から外して印刷装置４に接続し、印刷装置４でメモリカード内の印刷管理データを読み出して、印刷管理データに含まれる印刷ジョブの印刷データを印刷し、印刷完了情報をメモリカードに書き込むようにしている。更に、メモリカードを携帯端末装置２に再接続して、携帯端末装置２でメモリカード内の印刷完了情報を読み出してプリントサーバ１に送信している。これにより、ネットワーク３に接続されていない印刷装置４による印刷データの印刷が可能になり、また印刷完了情報をプリントサーバ１に返すことが可能になる。
【００３４】
次に、図４のフローチャートを参照しつつ、プリントサーバ１から携帯端末装置２のメモリカードを介して印刷装置４へと印刷管理データを転送する手順を説明する。
【００３５】
まず、携帯情報端末２では、ユーザにより入力部２４が入力操作されて、印刷管理データの転送要求がなされると、この印刷管理データの転送要求が通信部２３からネットワーク３を介してプリントサーバ１へと送信される（Ｓ５０１）。
【００３６】
プリントサーバ１では、携帯情報端末２からの印刷管理データの転送要求を通信部１３で受信する。制御部１１は、この転送要求に応答して記憶部１２を検索し、記憶部１２内に印刷管理データがあれば、全ての印刷管理データを記憶部１２から読み出して、これらの印刷管理データを通信部１３からネットワーク３を通じて携帯情報端末２に送信する（Ｓ５０２）。
【００３７】
携帯情報端末２では、プリントサーバ１からの各印刷管理データを通信部２３で受信する（Ｓ５０３）。制御部２１は、受信した各印刷管理データをメモリカード入出力部２６を介してメモリカードに書き込む（Ｓ５０４）。このとき、携帯情報端末２における表示デバイスの画面上の表示等により印刷管理データのダウンロードが完了した旨を報知するのが好ましい。
【００３８】
こうして携帯情報端末２から印刷管理データの転送要求が出され、プリントサーバ１から携帯情報端末２のメモリカードへと印刷管理データが転送された後、ユーザは、メモリカードを携帯情報端末２のメモリカード入出力部２６から取り外して、このメモリカードを印刷装置４のメモリカード入出力部４５に挿入接続する。
【００３９】
印刷装置４では、メモリカードがメモリカード入出力部４５に挿入接続され、ユーザにより入力部４４が入力操作されて、メモリカード入出力部４５によるメモリカードの読取りが指示されると、これに応答して制御部４１は、メモリカード入出力部４５を通じて、メモリカードから各印刷管理データを順次読み出して行き（Ｓ５０５）、印刷管理データの読み出しの度に、印刷管理データに含まれる印刷ジョブの印刷データを記録用紙に印刷して（Ｓ５０６）、印刷データの印刷が成功したか否かを判定する（Ｓ５０７）。そして、制御部４１は、印刷データの印刷が成功したならば（Ｓ５０７で「Yes」）、この印刷が成功した印刷データを含む印刷管理データの印刷失敗フラグＦを「OFF」から「ON」に書き換えて更新し（Ｓ５０８）、また印刷データの印刷が失敗したならば（Ｓ５０７で「No」）、この印刷が失敗した印刷データを含む印刷管理データの印刷失敗フラグＦを「OFF」に維持する（Ｓ５０９）。
【００４０】
従ってメモリカード内の全ての印刷管理データが順次読み出されて、印刷管理データの読み出しの度に、印刷管理データに含まれる印刷ジョブの印刷データの印刷が試みられ、印刷データの印刷が成功したならば、この印刷データを含む印刷管理データの印刷失敗フラグＦが「ON」に更新され、また印刷データの印刷が失敗したならば、この印刷データを含む印刷管理データの印刷失敗フラグＦが「OFF」に維持される。
【００４１】
印刷装置４の制御部４１は、そのようなメモリカード内の全ての印刷管理データの処理が終了すると、印刷管理データの印刷データ毎に、印刷データの印刷が成功したか否かを示す印刷完了情報を作成し、全ての印刷管理データの印刷データの印刷完了情報をメモリカード入出力部４５を通じてメモリカードに格納する（Ｓ５１０）。このとき、印刷装置４における表示デバイスの画面上の表示等によりメモリカードへの印刷完了情報の格納が完了した旨を報知するのが好ましい。
【００４２】
図５は、印刷完了情報の構成を示している。この印刷完了情報は、印刷管理データ毎に作成され、印刷管理データＩＤと、印刷データの印刷が失敗したか否かを示す印刷失敗フラグＦとを含んでいる。
【００４３】
次に、ユーザは、メモリカードへの全ての印刷完了情報の格納が完了すると、メモリカードを印刷装置４のメモリカード入出力部４５から取り外して、このメモリカードを携帯端末装置２のメモリカード入出力部２６に挿入接続する。
【００４４】
携帯端末装置２では、メモリカードがメモリカード入出力部２６に挿入接続され、ユーザにより入力部２４が入力操作されて、メモリカード入出力部２６によるメモリカードの読取りが指示されると、これに応答して制御部２１は、メモリカード入出力部２６を通じて、メモリカードから各印刷完了情報を読み出し、これらの印刷完了情報を通信部２３からネットワーク３を介してプリントサーバ１へと送信する（Ｓ５１１）。
【００４５】
プリントサーバ１では、携帯情報端末２からの各印刷完了情報を通信部１３で受信し（Ｓ５１２）、これらの印刷完了情報を記憶部１２に一旦記憶する。
【００４６】
このようにプリンタサーバ１から携帯端末装置２のメモリカードへと印刷管理データがダウンロードされ、このメモリカードが印刷装置４に接続され、印刷装置４でメモリカード内の印刷管理データに含まれる印刷ジョブの印刷データが印刷され、印刷完了情報がメモリカードに書き込まれる。そして、メモリカードが携帯端末装置２に再接続されて、携帯端末装置２でメモリカード内の印刷完了情報が読み出されてプリントサーバ１に送信される。
【００４７】
次に、図６のフローチャートを参照しつつ、プリントサーバ１による印刷完了情報に基づく後処理を説明する。
【００４８】
まず、プリントサーバ１の制御部１１は、各印刷完了情報を記憶部１２から順次読み出して行き（Ｓ６０１）、印刷完了情報を読み出す度に、印刷完了情報の印刷失敗フラグＦが「OFF」及び「ON」のいずれであるかを判定する（Ｓ６０２）。そして、制御部１１は、印刷完了情報の印刷失敗フラグＦが「ON」であったならば（Ｓ６０２で「ON」）、この印刷完了情報の印刷管理データＩＤによって示される印刷管理データの印刷データの印刷が成功していることから、この印刷管理データを記憶部１２から削除する（Ｓ６０３）。これにより、記憶部１２の記憶容量が節減される。
【００４９】
また、制御部１１は、印刷完了情報の印刷失敗フラグＦが「OFF」であったならば（Ｓ６０２で「OFF」）、この印刷完了情報の印刷管理データＩＤによって示される印刷管理データの印刷データの印刷が失敗していることから、この印刷管理データを記憶部１２から削除することなく保存し続ける。更に、制御部１１は、印刷完了情報の印刷失敗フラグＦを「OFF」から「ON」に書き換えた後（Ｓ６０４）、この印刷完了情報の印刷管理データＩＤによって示される印刷管理データから印刷ジョブ作成元アドレスを抽出し、印刷ジョブの印刷が失敗した旨を通信部１３からネットワーク３を通じて該印刷ジョブ作成元アドレスのパーソナルコンピュータ等へと送信する（Ｓ６０５）。
【００５０】
このパーソナルコンピュータ５では、印刷ジョブの印刷が失敗した旨を受信すると（Ｓ６０６）、この旨を表示デバイスの画面に表示してユーザに報知する（Ｓ６０７）。
【００５１】
また、プリントサーバ１の制御部１１は、印刷管理データを記憶部１２から削除することなく保存し続けることから、この印刷管理データを保存している旨を通信部１３からネットワーク３を通じて携帯端末装置２に送信する。
【００５２】
携帯端末装置２では、プリントサーバ１からの印刷管理データの保存の旨を通信部２３で受信すると、これに応答して制御部２１は、この保存されている印刷管理データの再転送要求を通信部２３からネットワーク３を介してプリントサーバ１へと送信する。これに応答して図５のＳ５０２以降の処理が繰り返されることになり、印刷を一度失敗した印刷管理データがプリンタサーバ１から携帯端末装置２のメモリカードへと再びダウンロードされ、このメモリカードが印刷装置４に接続され、印刷装置４でメモリカード内の印刷管理データに含まれる印刷ジョブの印刷データが印刷され、印刷完了情報がメモリカードに書き込まれ、メモリカードが携帯端末装置２に再接続されて、携帯端末装置２でメモリカード内の印刷完了情報が読み出されてプリントサーバ１に送信される。
【００５３】
このように携帯端末装置２からプリントサーバ１へと印刷完了情報を送受し、印刷完了情報の印刷失敗フラグＦが「ON」であったならば、この印刷完了情報の印刷管理データＩＤによって示される印刷管理データを記憶部１２から削除しているので、記憶部１２の記憶容量を節減することができる。また、印刷完了情報の印刷失敗フラグＦが「OFF」であったならば、この印刷完了情報の印刷管理データＩＤによって示される印刷管理データを記憶部１２から削除することなく保存し続け、この印刷管理データをプリンタサーバ１から携帯端末装置２のメモリカードへと再びダウンロードし、印刷装置４でメモリカード内の印刷管理データに含まれる印刷ジョブの印刷データを印刷しているので、印刷を失敗した印刷データの再度の印刷を試みることができる。
【００５４】
尚、携帯端末装置２は、プリントサーバ１からの印刷管理データの保存の旨の受信に応答して、この保存されている印刷管理データの再転送要求をプリントサーバ１に送信しているが、該携帯端末装置２から印刷完了情報をプリントサーバ１へと送信するときに、印刷完了情報の印刷失敗フラグＦが「OFF」となっている印刷データの再転送要求をプリントサーバ１に送信してもよい。
【００５５】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと解される。
【図面の簡単な説明】
【００５６】
【図１】本発明の印刷システムの一実施形態を示すブロック図である。
【図２】図１の印刷システムにおけるパーソナルコンピュータからプリントサーバへの印刷ジョブの転送手順を示すフローチャートである。
【図３】図１の印刷システムにおけるプリントサーバ側で格納される印刷管理データの構成を示す図である。
【図４】図１の印刷システムにおけるプリントサーバから携帯端末装置のメモリカードを介して印刷装置への印刷管理データの転送手順を示すフローチャートである。
【図５】図１の印刷システムにおける印刷完了情報の構成を示す図である。
【図６】図１の印刷システムにおけるプリントサーバによる印刷完了情報に基づく後処理を示すフローチャートである。
【符号の説明】
【００５７】
１  プリントサーバ
２  携帯端末装置
３  ネットワーク
４  印刷装置
５  パーソナルコンピュータ
１１、２１、４１  制御部
１２、２２、４２  記憶部
１３、２３、４３  通信部
２４、４４  入力部
２５  出力部
２６、４５  メモリカード入出力部
【図１】
2010055492.tif 000003
【図２】
2010055492.tif 000004
【図３】
2010055492.tif 000005
【図４】
2010055492.tif 000006
【図５】
2010055492.tif 000007
【図６】
2010055492.tif 000008